(57)【特許請求の範囲】
【請求項１】
画像データを記憶する画像データ記憶部を備え、上記画像データ記憶部から読み出した同一画像データを、画像を表示する複数の表示装置に出力する表示制御装置であって、
画像データを画像データ記憶部へ書き込む画像データ書き込み手段と、
画像データ記憶部に記憶されている画像データを読み出し、上記複数の表示装置へそれぞれ出力する複数の画像データ読み出し手段とを備え、
上記複数の画像データ読み出し手段の中から、１つ選択された表示装置に画像データを出力する画像データ読み出し手段を選択画像データ読み出し手段とし、
上記画像データ書き込み手段が画像データを画像データ記憶部へ書き込む書込速度と上記選択画像データ読み出し手段が画像データ記憶部から画像データを読み出す読出速度とを比較し、
上記書込速度が上記読出速度よりも速ければ、上記選択画像データ読み出し手段が画像データの読み出しを終了した時点を、
上記書込速度が上記読出速度よりも遅ければ、上記選択画像データ読み出し手段が画像データの読み出しを開始した時点を、
上記画像データ書き込み手段が画像データを画像データ記憶部に書き込むタイミングとして決定する書き込みタイミング決定手段をさらに備えることを特徴とする表示制御装置。
【請求項２】
請求項１に記載の表示制御装置を動作させる表示制御プログラムであって、コンピュータを上記の各手段として機能させるための表示制御プログラム。
【請求項３】
請求項２に記載の表示制御プログラムを記録したコンピュータ読み取り可能な記録媒体。
【請求項４】
画像データを記憶する画像データ記憶部と、該画像データ記憶部に画像データを書き込む画像データ書き込み手段と、上記画像データ記憶部から読み出した同一画像データを、画像を表示する複数の表示装置それぞれへ出力する複数の画像データ読み出し手段と、を備えた表示制御装置の制御方法であって、
上記複数の画像データ読み出し手段の中から、１つ選択された表示装置に画像データを出力する画像データ読み出し手段を選択画像データ読み出し手段として選択する選択画像データ読み出し手段選択ステップと、
上記画像データ書き込み手段が画像データを上記画像データ記憶部へ書き込む書込速度と、上記選択画像データ読み出し手段選択ステップで選択した選択画像データ読み出し手段が、上記画像データ記憶部から画像データを読み出す読出速度とを比較し、
上記書込速度が上記読出速度よりも速ければ、上記選択画像データ読み出し手段が画像データの読み出しを終了した時点を、
上記書込速度が上記読出速度よりも遅ければ、上記選択画像データ読み出し手段が画像データの読み出しを開始した時点を、
上記画像データ書き込み手段が画像データを上記画像データ記憶部に書き込むタイミングとして決定する書き込みタイミング決定ステップと、
上記書き込みタイミング決定ステップで決定したタイミングで上記画像データを上記画像データ記憶部へ書き込む画像データ書き込みステップと、を含むことを特徴とする表示制御装置の制御方法。
【発明の詳細な説明】
【技術分野】
【０００１】
本発明は、表示装置を制御する表示制御装置、特に、複数の表示装置に画像を同時に表示させることができる表示制御装置に関するものである。
【背景技術】
【０００２】
近年、動画像や静止画像を表示する様々な表示装置が存在し、その画面の大きさも様々なものがある。例えば、携帯できるような画面サイズが数インチのものも存在すれば、家庭のリビング等に設置するような画面サイズが５０インチ前後のものも存在する。
【０００３】
また、複数の表示装置に同じ動画像または静止画像を表示させる場合もある。例えば、小さい画面サイズの表示装置で見ている画像を複数の人間が見ることができるようにと、画面サイズの多きい表示装置にも表示させる場合等である。
【０００４】
そして、複数の表示装置に画像を表示させる従来の表示制御装置の例を図１３に示す。図１３に示すように、従来の表示制御装置３０１は、液晶用の同期制御部であるＬＣＤ（liquid crystal display）用同期制御部３０２と、テレビ用の同期制御部であるＴＶ（television）用同期制御部３０３とを備え、それぞれ、液晶表示とテレビ表示とに必要なタイミング信号を生成し、それぞれのリード部であるＬＣＤレイヤ1リード部３０７ａ、ＬＣＤレイヤ２リード部３０７ｂ、ＴＶレイヤリード部３０７ｃ、色空間変換部３０８、アスペクト変換部３０９、レイヤ合成部３１０、および信号処理部３１１等のタイミングを制御する。
【０００５】
次に、フレームメモリ３０６上に置かれた画像データが、それぞれの上記同期制御部によって指示されるタイミングに従い、それぞれのレイヤのリード部によってフレームメモリ３０６から読み出される。フレームメモリ３０６から読み出された画像データは、色空間変換部３０８によって、適宜ＲＧＢ形式のデータ、輝度と色差に基づくＹＵＶ形式のデータ間の変換を施され、出力に必要な形式のデータに変換される。すなわち、フレームメモリ３０６上のデータがＲＧＢデータであっても、ＹＵＶデータであっても、液晶表示用にはＲＧＢデータに、テレビ表示用にはＹＵＶデータに変換される。
【０００６】
色空間変換部３０８によって変換された画像データは、アスペクト変換部３０９で、適宜、縦方向の拡大、縮小、横方向の拡大、縮小処理が施されて出力される。そして、レイヤ合成部２０で、複数のレイヤからの画像データを、画素ごとにどちらのレイヤの画像データを表示装置に出力するかを選択し、信号処理部３１１に選択出力する。なお、レイヤ合成部３１０では、複数のレイヤの表示装置上の場所と重なり情報を予め設定してある。そして、信号処理部３１１で、主に表示装置のγ補正等の処理が施され、表示装置へ画像データが出力される。
【０００７】
液晶表示装置への出力データは、液晶ドライバへ出力され、液晶ドライバでは画像データをアナログ信号に変換する。また、同期制御部から受信したタイミング信号から液晶パネルに必要なタイミング信号を生成し、液晶パネルに出力して表示される。
【０００８】
テレビ受像機への出力データは、TVエンコーダに渡され、TVエンコーダで、画像データをアナログ信号に変換する。また、必要な同期信号、カラーバースト信号等が付加され、テレビ受像機に必要な信号、例えばNTSCコンポジット信号、あるいは、コンポーネント信号が生成され、テレビ受像機に出力されて表示される。
【０００９】
ホストＣＰＵ（central processing unit）３０４は、表示に必要な画像データを生成し、必要に応じて、ＬＣＤ用同期制御部３０２あるいはＴＶ用同期制御部３０３のタイミング情報を参照して、ホストＩＦ（interface）３０５を介して、フレームメモリ３０６に画像データを書き込む。
【００１０】
次に図１４に、上記表示制御装置を搭載した商品例を示す。図１４は表示制御装置を携帯電話機１４０に搭載した例である。携帯電話機１４０は、本体が上筐体と下筐体の2つの筐体に別れ、それぞれヒンジ部を介して、ボタン等の配置した操作部と液晶パネル等を配置した表示部とを対向させて折りたたむ事ができる。また、折りたたみを開いた時、上筐体は、さらに表示部の裏側に施されたレール、あるいは第2のヒンジを介して、右に９０度倒して横長状態にすることができ、横長画像を横長状態で表示させることができる。なお、液晶パネルは、短辺方向にソースドライバ、長辺方向にゲートドライバが配置され、右に９０度倒した状態においては、液晶の走査方向は右上から右下、さらに順次右から左へ走査していく方向となる。ここで、走査方向とは、液晶に表示されるデータを、表示制御装置が液晶パネルに送信するデータの順序である。
【００１１】
また、携帯電話機１４０は、コネクタ、ケーブルを介して、テレビ受像機１４１に接続できる。携帯電話機１４０本体に内蔵された上記表示制御装置から出力されるコンポジット信号あるいはコンポーネント信号がテレビ受像機１４１に出力される。テレビ受像機１４１は、横長画面であり、走査方向は、左上から右上、さらに順次上から下へ走査していく方向である。
【００１２】
ここで、フレームメモリ３０６上に必要な画像データのイメージを図１５に示す。図１５（ａ）の画像データをＬＣＤレイヤ1リード部３０７ａに読み込ませ、図１５（ｂ）の画像データをＬＣＤレイヤ２リード部３０７ｂに読み込ませ、図１５（ｃ）の画像データをＴＶレイヤリード部３０７ｃに読み込ませる。ＬＣＤレイヤ1リード部３０７ａが読み込んだ画像データとＬＣＤレイヤ２リード部３０７ｂが読み込んだデータは、レイヤ合成部３１０へ出力される。そしてレイヤ合成部３１０は、図１５（ａ）の画像データを図１５（ｂ）の画像データの中央部に貼り付け、出力イメージ通りの画像データを生成し、図１４の表示イメージの画像を表示させる。
【００１３】
また、特許文献１には、表示データを内部表示装置と外部表示装置との両方に選択的に表示できる携帯情報処理装置が開示されている。
【特許文献１】特開２０００−６６６４９号公報（公開日：２０００年３月３日）
【発明の開示】
【発明が解決しようとする課題】
【００１４】
しかしながら、上記従来の構成では、以下の問題を生じる。すなわち、上記従来の表示制御装置では、複数の表示装置に画像を表示させる場合に、任意の表示装置における画像の表示品位を保つことができない。
【００１５】
また、上記特許文献１には、複数の表示装置に表示させる画像の表示品位については何ら記載されていない。
【００１６】
本発明は、上記の問題点に鑑みてなされたものであり、その目的は、複数の表示装置に同時に画像を表示させる表示制御装置において、少なくとも１つの表示装置の表示品位を保つことができる表示制御装置等を実現することにある。
【課題を解決するための手段】
【００１７】
上記課題を解決するために、本発明に係る表示制御装置は、画像データを記憶する画像データ記憶部を備え、上記画像データ記憶部から読み出した同一画像データを、画像を表示する複数の表示装置に出力する表示制御装置であって、画像データを画像データ記憶部へ書き込む画像データ書き込み手段と、画像データ記憶部に記憶されている画像データを読み出し、上記複数の表示装置へそれぞれ出力する複数の画像データ読み出し手段とを備え、上記複数の画像データ読み出し手段の中から、１つ選択された表示装置に画像データを出力する画像データ読み出し手段を選択画像データ読み出し手段として選択するとともに、上記画像データ書き込み手段が画像データを画像データ記憶部へ書き込む書込速度と上記選択画像データ読み出し手段が画像データ記憶部から画像データを読み出す読出速度とを比較し、上記書込速度が上記読出速度よりも速ければ、上記選択画像データ読み出し手段が画像データの読み出しを終了した時点を、上記書込速度が上記読出速度よりも遅ければ、上記選択画像データ読み出し手段が画像データの読み出しを開始した時点を、上記画像データ書き込み手段が画像データを画像データ記憶部に書き込むタイミングとして決定する書き込みタイミング決定手段をさらに備えることを特徴としている。
【００１８】
また、上記課題を解決するために、本発明に係る表示制御装置の制御方法は、画像データを記憶する画像データ記憶部を備え、上記画像データ記憶部から読み出した同一画像データを、画像を表示する複数の表示装置に出力する表示制御装置の制御方法であって、画像データを画像データ記憶部へ書き込む画像データ書き込みステップと、画像データ記憶部に記憶されている画像データを読み出し、上記複数の表示装置へそれぞれ出力する複数の画像データ読み出しステップとを含み、上記複数の画像データ読み出しステップの中から、１つ選択された表示装置に画像データを出力する画像データ読み出しステップを選択画像データ読み出しステップとして選択するとともに、上記画像データ書き込みステップで画像データを画像データ記憶部へ書き込む書込速度と上記選択画像データ読み出しステップで画像データ記憶部から画像データを読み出す読出速度とを比較し、上記書込速度が上記読出速度よりも速ければ、上記選択画像データ読み出しステップで画像データの読み出しを終了した時点を、上記書込速度が上記読出速度よりも遅ければ、上記選択画像データ読み出しステップで画像データの読み出しを開始した時点を、上記画像データ書き込みステップで画像データを画像データ記憶部に書き込むタイミングとして決定する書き込みタイミング決定ステップをさらに含むことを特徴としている。
【００１９】
上記の構成および方法によれば、少なくとも１つの表示装置で表示される画像の画像データについて、画像データの書き込みタイミングが、画像データの書込速度が画像データの読出速度より速いか遅いかによって、決定される。そして、その画像データの書き込みタイミングは、書込速度が読出速度よりも速ければ、画像データの読み出しを終了した時点、書込速度が読出速度よりも遅ければ、画像データの読み出しを開始した時点となる。
【００２０】
これにより、書込速度が読出速度よりも遅い場合、読み出し開始の時点で、書き込みが開始されるので、画像データを読み出すときに、書き込みが終了している部分と終了していない部分とを一緒に読み出すことがない。また、書込速度が読出速度より速い場合、読み出しが終了した時点で書き込みが開始されるので、画像データを読み出すときに、書き込みが終了している部分と終了していない部分とを一緒に読み出すことがない。
【００２１】
したがって、画像データの書き込みが終了している部分と終了していない部分とを一緒に読み出すことがなく、少なくとも１つの表示装置の表示品位を保つことができる。
【００２２】
また、読出速度と書込速度との速度の関係が、表示品位が保たれている表示装置と同様の表示装置も、表示品位が保たれる。
【００２３】
なお、１つの表示装置に対応する画像データ読み出し手段が複数存在する構成であってもよい。この場合、当該表示装置に対応するいずれかの画像データ読み出し手段を上記選択画像読み出し手段とする。これにより、上記と同様の効果を奏することができる。
【００２４】
なお、上記表示制御装置は、コンピュータによって実現してもよく、この場合には、コンピュータを上記各手段として動作させることにより上記表示制御装置をコンピュータにて実現させる表示制御装置の表示制御プログラム、およびそれを記録したコンピュータ読み取り可能な記録媒体も、本発明の範疇に入る。
【発明の効果】
【００２５】
以上のように、本発明に係る表示制御装置は、画像データを画像データ記憶部へ書き込む画像データ書き込み手段と、画像データ記憶部に記憶されている画像データを読み出し、上記複数の表示装置へそれぞれ出力する複数の画像データ読み出し手段とを備え、上記複数の画像データ読み出し手段の中から、１つ選択された表示装置に画像データを出力する画像データ読み出し手段を選択画像データ読み出し手段として選択するとともに、上記画像データ書き込み手段が画像データを画像データ記憶部へ書き込む書込速度と上記選択画像データ読み出し手段が画像データ記憶部から画像データを読み出す読出速度とを比較し、上記書込速度が上記読出速度よりも速ければ、上記選択画像データ読み出し手段が画像データの読み出しを終了した時点を、上記書込速度が上記読出速度よりも遅ければ、上記選択画像データ読み出し手段が画像データの読み出しを開始した時点を、上記画像データ書き込み手段が画像データを画像データ記憶部に書き込むタイミングとして決定する書き込みタイミング決定手段をさらに備える構成である。
【００２６】
また、本発明に係る表示制御装置の制御方法は、画像データを画像データ記憶部へ書き込む画像データ書き込みステップと、画像データ記憶部に記憶されている画像データを読み出し、上記複数の表示装置へそれぞれ出力する複数の画像データ読み出しステップとを含み、上記複数の画像データ読み出しステップの中から、１つ選択された表示装置に画像データを出力する画像データ読み出しステップを選択画像データ読み出しステップとして選択するとともに、上記画像データ書き込みステップで画像データを画像データ記憶部へ書き込む書込速度と上記選択画像データ読み出しステップで画像データ記憶部から画像データを読み出す読出速度とを比較し、上記書込速度が上記読出速度よりも速ければ、上記選択画像データ読み出しステップで画像データの読み出しを終了した時点を、上記書込速度が上記読出速度よりも遅ければ、上記選択画像データ読み出しステップで画像データの読み出しを開始した時点を、上記画像データ書き込みステップで画像データを画像データ記憶部に書き込むタイミングとして決定する書き込みタイミング決定ステップをさらに含む方法である。
【００２７】
これにより、画像データの書き込みが終了している部分と終了していない部分とを一緒に読み出すことがなく、少なくとも選択された表示装置の表示品位を保つことができるという効果を奏する。
【発明を実施するための最良の形態】
【００２８】
本発明の一実施の形態について図１から図１５に基づいて説明すれば、以下のとおりである。図1は、本実施の形態にかかる表示制御装置１０のブロック図である。
【００２９】
図1に示すように、表示制御装置１０は、液晶用同期制御部１１、テレビ用同期制御部１２、主制御部１３、インターフェース１４、フレームメモリ（画像データ記憶部）１５、回転処理部（回転処理手段）１６、液晶第１レイヤ読み出し部（画像データ読み出し手段）１７ａ、液晶第２レイヤ読み出し部（画像データ読み出し手段）１７ｂ、テレビレイヤ読み出し部（画像データ読み出し手段）１７ｃ、色空間変換部（色空間変換手段）１８、アスペクト変換部（アスペクト変換手段）１９、レイヤ合成部（レイヤ合成手段）２０、信号処理部２１により構成されている。そして、回転処理部１６、液晶第１レイヤ読み出し部１７ａ、液晶第２レイヤ読み出し部１７ｂ、テレビレイヤ読み出し部１７ｃ、色空間変換部１８、およびアスペクト変換部１９は、それぞれ液晶第１レイヤ、液晶第２レイヤ、およびテレビレイヤに対応して設けられている。
【００３０】
また、主制御部１３は、処理部１３１、書き込みタイミング決定部（書き込みタイミング決定手段）１３２、書き込み部（画像データ書き込み手段）１３３により構成されている。
【００３１】
液晶用同期制御部１１は、液晶表示に必要なタイミング信号を生成し、回転処理部１６、液晶第１レイヤ読み出し部１７ａ、液晶第２レイヤ読み出し部１７ｂ、色空間変換部１８、アスペクト変換部１９、レイヤ合成部２０、および信号処理部２１の各ブロックタイミングを制御する。また、テレビ用同期制御部１２は、テレビ表示に必要なタイミング信号を生成し、回転処理部１６、テレビレイヤ読み出し部１７ｃ、色空間変換部１８、アスペクト変換部１９、および信号処理部２１の各ブロックタイミングを制御する。
【００３２】
処理部１３１は、表示制御装置１０の各処理を各ブロックに実行させるものである。また、表示に必要な画像データを生成し、書き込み部１３３へ送信する。さらに、必要に応じて、液晶用同期制御部１１または、テレビ用同期制御部１２の同期タイミング情報を参照する。そして、参照した同期タイミング情報を書き込みタイミング決定部１３２へ送信する。また、表示制御装置１０と接続された表示装置の縦横を検知し、生成した画像が縦長画像であるか横長画像であるかを判断し、回転処理部１６が回転処理を行うか否かを決定し、決定した情報をインターフェース１４を介して回転処理部１６へ送信する。
【００３３】
また、処理部１３１は、書き込み部１３３がフレームメモリ１５へ画像データ書き込む速度（書込速度）を決定する要素である書き込み部１３３のクロック周波数および書き込み部１３３とインターフェース１４との間の接続方法（パラレルインターフェースかシリアルインターフェースか、同期か非同期か等）を取得し、その内容を示すデータを書き込みタイミング決定部１３２へ送信する。また、処理部１３１は、読み出し部１７がフレームメモリ１５から画像データを読み込む速度（読出速度）を決定する要素である読み出し部１７のクロック周波数およびフレームメモリ１５から回転処理部１６を介して読み出し部１７へ画像データを送信するバスのクロック周波数、バスの状態（ビット幅、同期か非同期か、クロスバスか単一バスか等）を取得し、その内容を示すデータを書き込みタイミング決定部１３２へ送信する。
【００３４】
書き込みタイミング決定部１３２は、液晶第１レイヤ読み出し部１７ａ、液晶第２レイヤ読み出し部１７ｂ、テレビレイヤ読み出し部１７ｃの中から、ユーザによって指定された表示装置に対応する読み出し部を選択する。そして、処理部１３１から受信した書き込み部１３３がフレームメモリ１５に画像データを書き込む速度を決定する要素と選択された読み出し部がフレームメモリ１５から画像データを読み込む速度を決定する要素とから、書込速度と読出速度とのどちらが速いかを判断する。そして、判断した結果と同期タイミング情報とから書き込み部１３３がフレームメモリ１５に画像データを書き込むタイミングを決定し、決定した書き込みタイミングを書き込み部１３３に送信する。書き込みタイミングの決定についての詳細は後述する。
【００３５】
書き込み部１３３は、書き込みタイミング決定部１３２から受信した書き込みタイミングに従って、処理部１３１から受信した画像データをフレームメモリ１５へ書き込む。フレームメモリ１５は、画像データを記憶する記憶部である。
【００３６】
回転処理部１６は、画像の角度変換を行うのもで、横位置で入力された画像データを縦位置で表示させる画像データに変換する。これは、受信した画像データのメモリ方向（メモリのアドレスが連続している方向）と表示走査方向とを一致させた状態で読み出し部１７に送信するか、メモリ方向と表示走査方向とを垂直方向として読み出し部１７に送信するかによって変換する。また、回転処理部１６は、回転処理に用いるラインバッファ１６１を内蔵している。回転処理の詳細については後述する。
【００３７】
また、回転処理部１６を備えることにより、画像データの走査方向を切換えて読み出すことができる。これにより、表示装置が表示画面を縦長の状態と横長の状態とを切換えることができるものであっても、それぞれの表示画面に対応した画像データを出力することができる。
【００３８】
そして、走査方向を切換えて読み出すことができるので、フレームメモリ１５に走査方向の異なる画像データを用意しておく必要がなくなり、フレームメモリ１５の容量を削減することができる。
【００３９】
液晶第１レイヤ読み出し部１７ａ、液晶第２レイヤ読み出し部１７ｂ、テレビレイヤ読み出し部１７ｃは、回転処理部１６を介して、フレームメモリ１５から画像データを読み出す。そして、読み出した画像データを色空間変換部１８へ送信する。なお、液晶第１レイヤ読み出し部１７ａ、液晶第２レイヤ読み出し部１７ｂ、テレビレイヤ読み出し部１７ｃは、フレームメモリ１５から画像データをインターレース状に読み出すものであってもよい。これにより、画像データが動画像の画像データであった場合、表示装置に表示される動画像のちらつきを防止することができる。
【００４０】
色空間変換部１８は、液晶第１レイヤ読み出し部１７ａ、液晶第２レイヤ読み出し部１７ｂ、テレビレイヤ読み出し部１７ｃから受信した画像データに対し、ＲＧＢ（red, green, blue）データとＹＵＶ（輝度信号、青色色差信号、赤色色差信号）データ間の変換を施す。すなわち、フレームメモリ１５上のデータがＲＧＢデータであっても、ＹＵＶデータであっても、液晶表示用にはＲＧＢデータに、テレビ表示用にはＹＵＶデータに変換する。そして、変換した画像データをアスペクト変換部１９へ送信する。
【００４１】
これにより、ＲＧＢ形式のデータとＹＵＶ形式のデータとの相互変換が可能となる。そして、画像データ記憶部に記憶されている画像データがＲＧＢ形式とＹＵＶ形式とのどちらの形式のデータであっても、ＲＧＢ形式の表示装置およびＹＵＶ形式の表示装置に対応した画像データを出力することができる。よって、フレームメモリ１５に表示装置に対応した画像データをそれぞれ記憶しておく必要がなくなり、フレームメモリ１５の容量を削減することができる。
【００４２】
アスペクト変換部１９は、色空間変換部１８から受信した画像データの縦方向の拡大、縮小、横方向の拡大、縮小処理が施す。そして処理を施した画像データを、液晶用の場合はレイヤ合成部２０に、テレビ用の場合は信号処理部２１へ送信する。
【００４３】
これにより、画像データを縦横それぞれ独立に拡大縮小することがきる。よって、画像データの縦横比と、表示装置の表示画面の縦横比とが異なっていても、表示装置の表示画面の縦横比に合わせた画像データで表示装置に出力することができる。
【００４４】
レイヤ合成部２０は、アスペクト変換部１９から受信したレイヤ毎の複数の画像データを、画素ごとにどちらのレイヤの画像データを表示装置に出力するかを選択し、選択した画像データを信号処理部２１に送信する。または、それぞれのレイヤの画像データに対して予め設定した重みで加重平均した画像データを信号処理部２１へ送信する。なお、複数のレイヤの表示装置上の場所と重なり情報は、予め設定されている。これにより、複数の画像データを合成した画面を表示装置に表示させることができる。
【００４５】
信号処理部２１は、レイヤ合成部２０またはアスペクト変換部１９から受信した画像データに対し、ガンマ補正等の処理を施す。そして、表示装置へ画像データを送信する。
【００４６】
液晶表示装置２６へ出力された画像データは、液晶ドライバ２２へ送信され、液晶ドライバ２２では画像データがデジタルデータからアナログ信号に変換される。また、液晶用同期制御部１１からのタイミング信号によって液晶パネル２３に必要なタイミング信号を生成し、液晶パネル２３に出力して表示する。
【００４７】
テレビ受像機２７への出力された画像データは、テレビエンコーダ２４に送信され、テレビエンコーダ２４では画像データがデジタルデータからアナログ信号に変換される。また、テレビ用同期制御部１２からのタイミング信号によって必要な同期信号、カラーバースト信号等が付加され、テレビ受像機２７に必要な信号、例えばＮＴＳＣコンポジット信号、あるいは、コンポーネント信号が生成され、テレビモニタ２５に出力されて表示される。
【００４８】
次に、書き込みタイミング決定部１３２が書き込みタイミングを決定する処理の流れについて図２を用いて説明する。図２は、書き込みタイミング決定部１３２が書き込みタイミングを決定する処理の流れを示すフローチャートである。
【００４９】
図２に示すように、書き込みタイミング決定部１３２は、ユーザによって選択された表示装置に画像データを出力する読み出し部を選択する（Ｓ２０１）。ここでは、液晶第１レイヤ読み出し部１７ａを選択したとする。そして、液晶第１レイヤ読み出し部１７ａについて、書き込みタイミング決定部１３２は、書込速度が読出速度より速いか否かを判断する（Ｓ２０２）。そして、書込速度が読出速度より速ければ（Ｓ２０２でＹＥＳ）、書き込みタイミング決定部１３２は、読み出し部１７が画像データの読み出しを終了した時点を書き込みタイミングとして決定する（Ｓ２０３）。そして、決定したタイミングに従って、書き込み部１３３は画像データをフレームメモリ１５に書き込む（Ｓ２０５）。そしてＳ２０１に戻る。
【００５０】
一方、書込速度が読出速度より遅ければ（Ｓ２０２でＮＯ）、書き込みタイミング決定部１３２は、読み出し部１７が画像データの読み出しを始めた時点を書き込みタイミングとして決定する。そして、決定したタイミングに従って、書き込み部１３３は画像データをフレームメモリ１５に書き込む（Ｓ２０５）。そして最初に戻る。
【００５１】
次に、書き込みタイミングについて図３〜図６を用いて説明する。図３〜図６は、画像データの読み出し開始および終了時点と書き込み開始および終了時点とのタイミングの関係を示す図である。図３〜図６は、全て縦軸が読み出しアドレスまたは書き込みアドレスであり、横軸が時間である。そして、実線で、時間とともに読み出されるアドレスが表されており、破線で時間とともに書き込まれるアドレスが表されている。
【００５２】
図３は、１画面分の画像データを更新する場合で、書込速度が読出速度より遅い場合を示す図である。なお、書き込み部１３３によるフレームメモリ１５への画像データの書き込みは、各表示装置における２フレーム期間以内で１フレームの画像データを書き込むことができるとする。なお、ここでは液晶第１レイヤ読み出し部１７ａが画像データを読み出す場合について説明する。
【００５３】
まず、液晶第１レイヤ読み出し部１７ａが画像データの読み出しを開始する時点を液晶用同期制御部１１から割り込みとして処理部１３１に通知する。処理部１３１は、本割り込みを受け、書き込みタイミング決定部１３２に通知する。書き込みタイミング決定部１３２は、この割り込みを受けた時点で、画像データをインターフェース１４を介してフレームメモリ１５への送信を開始するよう書き込み部１３３に通知する。そして、液晶表示装置２６における表示の2フレーム期間以内に１フレーム分の画像データの送信が終了する。
【００５４】
すなわち、まず、図３の３ａの時点で読み出し部１７は画像データの読み出しを開始する。そして、上記割り込みによる指示により、書き込み部１３３は、３ｂの時点で次に液晶第１レイヤ読み出し部１７ａが読み出すフレームの画像データの書き込みを開始する。そして、３ｃの時点で液晶第１レイヤ読み出し部１７ａは画像データの読み出しを終了し、３ｄの時点で、次のフレームの画像データの読み出しを開始する。そして、当該次のフレームの画像データの読み出しが終了する前の３ｅの時点で、書き込み部１３３による当該次のフレームの画像データの書き込みが終了する。その後、３ｆの時点で当該次のフレームの読み出しが終了する。
【００５５】
このようにすれば、図３に示すように、画像データの読み出しを開始した後に、読み出しアドレスを追いかけるように、書き込み部１３３がフレームメモリ１５へ画像データを書き込む。そして、液晶第１レイヤ読み出し部１７ａが画像データを読み出すときに、書き込みが終了していないメモリ部分と書き込みが終了したメモリ部分とを、同一のフレームの画像データとして読み込むことがない。よって、表示装置に表示される画像に走査方向の境界線が現れることはなく、表示品位を保つことができる。
【００５６】
次に、１画面分の画像データを更新する場合で、書込速度が読出速度より速い場合を説明する。図４は、１画面分の画像データを更新する場合で、書込速度が読出速度より速い場合を示す図である。
【００５７】
まず、液晶第１レイヤ読み出し部１７ａが画像データの読み出しを終了した時点を液晶用同期制御部１１から割り込みとして処理部１３１に通知する。処理部１３１は、は本割り込みを受け、書き込みタイミング決定部１３２に通知する。書き込みタイミング決定部１３２は、この割り込みを受けた時点で、画像データをインターフェース１４を介してフレームメモリ１５への送信を開始するよう書き込み部１３３に通知する。そして、書込速度は読出速度より速いので、１フレーム期間内に画像データの送信が終了する。
【００５８】
すなわち、まず、４ａの時点で液晶第１レイヤ読み出し部１７ａは画像データの読み出しを開始し、４ｂの時点で読み出しを終了する。そして、上記割り込みによる指示により、書き込み部１３３は、４ｃの時点で次に液晶第１レイヤ読み出し部１７ａが読み出すフレームの画像データの書き込みを開始する。そして、４ｄの時点で液晶第１レイヤ読み出し部１７ａは当該次のフレームの画像データの読み出しを開始し、次のフレームの画像データの読み出しが終了する前の４ｅの時点で、書き込み部１３３による当該次のフレームの画像データの書き込みが終了する。その後、４ｆの時点で当該次のフレームの読み出しが終了する。
【００５９】
このようにすれば、液晶第１レイヤ読み出し部１７ａが画像データをフレームメモリ１５から読み出すときに、書き込みが終了していないメモリ部分と、書き込みが終了したメモリ部分を、同一のフレームの画像データとして読み込むことがない。よって、表示装置に表示される画像に走査方向の境界線が現れることはなく、表示品位を保つことができる。
【００６０】
また、画面の更新を１画面全てではなく、一部分のみ更新する場合は、上述した書き込み開始のタイミングを、更新する画像データの読み出し開始時または読み出し終了時とすればよい。図５は、一部分の画像データを更新する場合で、書込速度が読出速度より遅い場合を示す図である。また、図６は、一部分の画像データを更新する場合で、書込速度が読出速度より速い場合を示す図である。
【００６１】
すなわち、書込速度が読出速度より遅い場合は、図５に示すように、更新領域の読み出し開始時点である５ａの時点で、液晶第１レイヤ読み出し部１７ａは更新領域の読み出しを開始し、読み出し開始による割り込みの指示により５ｂの時点で書き込み部１３３は次のフレームの更新領域の画像データの書き込みを開始する。そして、５ｃの時点で、更新領域の読み出しが終了し、５ｄの時点で読み出し部１７は次のフレームの更新領域の画像データの読み出しを開始する。そして、読み出しが終了する前の５ｅの時点で書き込み部１３３による書き込みが終了する。その後、液晶第１レイヤ読み出し部１７ａの読み出しが終了する。
【００６２】
また、書込速度が読出速度より速い場合は、図６に示すように、６ａの時点で、液晶第１レイヤ読み出し部１７ａは更新領域の読み出しを開始し、６ｂの時点で終了する。そして、読み出し終了による割り込みの指示により書き込み部１３３は、６ｃの時点で、次のフレームの更新領域の画像データの書き込みを開始する。そして６ｄの時点で書き込みが終了し、液晶第１レイヤ読み出し部１７ａは、６ｅの時点で次のフレームの更新領域の読み出しを開始し、６ｆの時点で読み出しを終了する。
【００６３】
このようにすれば、上述した１画面全てを更新する場合と同様に、液晶第１レイヤ読み出し部１７ａが画像データをフレームメモリ１５から読み出すときに、書き込みが終了していないメモリ部分と、書き込みが終了したメモリ部分を、同一のフレームとして読み込むタイミングが発生しない。よって、表示装置に表示される画像に走査方向の境界線が現れることはなく、表示品位を保つことができる。
【００６４】
また、書込速度と読出速度とが同じ場合は、書き込みタイミングは、上記書込速度が読出速度より遅い場合と書込速度が読出速度より速い場合とのどちらで対応してもよい。これは、書込速度と読出速度とが同じ場合は、どの時点で書き込みを始めても、書き込みが終了していないメモリ部分と、書き込みが終了したメモリ部分とを、同一のフレームの画像データとして読み込むことがないためである。
【００６５】
なお、上述したタイミングで書き込みタイミングを決定しなければ表示品位を保つことができないのは以下の理由による。
【００６６】
すなわち、書込速度が読出速度よりも遅いときに、液晶第１レイヤ読み出し部１７ａが画像データの読み出しを開始する前に、書き込みを開始すると、書き込みが終了していないメモリ部分と、書き込みが終了したメモリ部分とを、同一のフレームの画像データとして読み込むことになる。これにより、表示装置に表示される画像に走査方向の境界線が現れ、品位を確保できない。
【００６７】
また、書込速度が読出速度よりも速いときに、液晶第１レイヤ読み出し部１７ａが画像データの読み出しを開始した後に、書き込みを開始すると、書き込みが終了していないメモリ部分と、書き込みが終了したメモリ部分とを、同一のフレームの画像データとして読み込むことになる。これにより、表示装置に表示される画像に走査方向の境界線が現れ、品位を確保できない。
【００６８】
ここで、画像に走査方向の境界線が現れ、画像の品位を確保できていない画像を図７に示す。図７は、読み出す方向と書き込む方向とが一致しており、書込速度が読出速度より遅い場合の例である。動画像更新のとき、動きの大きい対象物は、前のフレームデータと次のフレームデータとを、1フレームデータとして表示してしまう。これにより、画面が割れたように表示される。図７は、上半分が次のフレームデータで、書き込んでいる途中で読み出し部１７が読み込むアドレスが書き込みアドレスを追い越してしまい、下半分は前のフレームデータを読み込んだ場合を示している。なお、後述する読み出す方向と書き込む方向とが直交している場合は、斜めに割れたような画像が表示される。
【００６９】
なお、一般に、液晶表示装置とテレビ受像機とでは、フレームレートは非同期であり、液晶表示の品位を保つと、テレビ受像機の表示品位を保つことはできない。これは、テレビ受像機では、画像データの書き込みと読み出しとが非同期となり、読み出すときに、書き込みが終了していないメモリ部分と、書き込みが終了したメモリ部分とを、同一のフレームとして読み込むタイミングが発生してしまうためである。これにより、表示される画像に走査方向の境界線が現れ、表示品位を確保できない。一方、テレビ受像機の表示品位を保つと、液晶表示側の表示品位を確保できない。しかしながら、どちらの表示品位を優先させるかを設定することで、液晶表示装置とテレビ受像機とのどちらかの表示品位を保つことは可能である。
【００７０】
次に図８を用いて、回転処理部１６の動作を説明する。図8は、フレームメモリ１５、回転処理部１６に内蔵されたラインバッファ１６１および出力される表示データを表している。そして、今、横長画像の画像データを、縦長表示装置に走査方向を回転して出力するとし、フレームメモリ１５上に図８に示すように、横長画像データがメモリ方向と同一方向で記憶されているとする。
【００７１】
なお、フレームメモリ１５は出力画像サイズに比例して必要容量は増大し、一般に表示制御装置のコストの大半を占める。そこで、可能な限り、コストを削減するためフレームメモリ１５をＤＲＡＭ（dynamic random access memory）として構成したとする。ＤＲＡＭはメモリ方向に順次アクセスをすれば高速にアクセス可能であるが、不連続アドレスへのアクセスは非常に低速となる。そして、各レイヤの読み出し部１７がメモリ方向とは垂直方向に画像データを読み込もうとすると、アドレスは不連続となり、そのままＤＲＡＭへのアクセスを行なうと、アクセスが低速となる。あるいは、必要なバンド幅を確保するためにはクロック周波数を上げる等の消費電力の増大を伴う。
【００７２】
そこで、これを避けるため、回転処理部１６の内部に、数ライン分、例えば１６ライン分のＳＲＡＭ（static random access memory）で構成したラインバッファ１６１を内蔵する。まず、図８のフレームメモリ１５上の画像データをラインバッファ１６１へ転送する。この時、図８に示すように、フレームメモリ１５のメモリ方向と同一方向に読み出し、ラインバッファ１６１へは、ラインバッファ１６１のメモリ方向とは垂直方向に書き込む。また、ラインバッファ１６１は、フレームメモリ１５に記憶されている画像データのうち、１６ライン分を順に記憶し、出力する。そして、最終的に画像データの全てのデータを記憶し、出力する。
【００７３】
そして、ＳＲＡＭは不連続アドレスへのアクセスであっても速度低下を伴わないため、ラインバッファ１６１への書き込みは不連続アドレスへのアクセスとなるが、速度低下は伴わない。その後、ラインバッファ１６１のデータを図８のように読み出し、図８の表示データ出力に示すように走査方向に変換した後、各レイヤの読み出し部１７に画像データを出力する。
【００７４】
これにより、液晶第１レイヤ読み出し部１７ａ、液晶第２レイヤ読み出し部１７ｂ、テレビレイヤ読み出し部１７ｃが読み出す画像データの走査方向を切換える場合に、画像データの一部をラインバッファ１６１に記憶させておくことができる。そして、フレームメモリ１５の記憶媒体がＤＲＡＭのように不連続アドレスに対してアクセス速度が低くなるものであっても、ラインバッファ１６１の記憶媒体がＳＲＡＭのように不連続アドレスに対して速度低下しないものとすることで、速度低下を伴わずに読み出す画像データの走査方向の切換えを行うことができる。
【００７５】
より具体的に説明すると、まずフレームメモリ１５にはＦ１に示す画像データが記憶されているとする。そして、１６ライン分のみラインバッファ１６１にコピーする。ここでは、１６ライン分にあたる領域がＦ１で示す「かしつ」と表示された領域とほぼ同じ大きさの領域とする（Ｌ１）。そしてラインバッファ１６１に記憶されているＬ１を書き込み方向とは垂直の方向に読み出し（Ｌ２）、出力する画像データとする。これにより、出力される画像データは、Ｈ１のようになる。
【００７６】
次に、フレームメモリ１５に記憶されている画像データの前回読み出した領域の隣の領域を１６ライン分読み出す（Ｆ２）。そして、前回と同様に書き込み方向（Ｌ３）とは垂直方向に読み出し（Ｌ４）、出力する（Ｈ２）。そして、これを繰り返すことにより、最終的に、画像データの最後の領域（Ｆ３）をラインバッファ１６１にコピーし（Ｌ５）、書き込み方向と垂直方向に読み出し（Ｌ６）、出力する（Ｈ３）。これにより、１フレーム分の画像データを９０°回転させることができる。
【００７７】
そして、フレームメモリ１５のＤＲＡＭのバーストアクセス長に含まれる画素数とラインバッファ１６１のライン数を等しくすると、ＤＲＡＭ、ＳＲＡＭへのアクセスは共に、速度低下を伴わない。また、比較すると高価であるＳＲＡＭの容量を最小化できる。さらに、結果として、各レイヤ部以降のデータを、フレームメモリ１５内のデータのメモリ方向とは垂直方向のデータ順序に変換することができる。また、図８の例では、左に９０°回転をする例を示しているが、右に９０°、１８０°、ミラー反転等についても、同様に実現できる。
【００７８】
次に図９に、上記表示制御装置１０を搭載した商品例を示す。図９は表示制御装置１０を携帯電話機（液晶表示装置２６）に搭載した例である。携帯電話機は、本体が上筐体と下筐体の2つの筐体に別れ、それぞれヒンジ部を介して、ボタン等の配置した操作部と液晶パネル２３等を配置した表示部とを対向させて折りたたむ事ができる。そして、携帯電話機とテレビ受像機２７とが、画像データの送信が可能となるように接続されている。
【００７９】
なお、液晶パネル２３は、短辺方向にソースドライバ、長辺方向にゲートドライバが配置され、液晶の走査方向は左上から右上、さらに順次上から下へ走査していく方向となる。ここで、走査方向とは、液晶に表示される画像の画像データを、表示制御装置１０が液晶パネルに送信する順序である。
【００８０】
ここで、フレームメモリ１５上に必要な画像データのイメージを図１０に示す。図１０（ｂ）の画像データを液晶第１レイヤ読み出し部１７ａが読み込む。そして、液晶第２レイヤとテレビレイヤとに同一フレームメモリ１５上のアドレスとして同一アドレス設定とし、図１０（ａ）の画像データを液晶第２レイヤ読み出し部１７ｂとテレビレイヤ読み出し部１７ｃとが同一画像データを読み込む。液晶第１レイヤ読み出し部１７ａが読み込んだ画像データと液晶第２レイヤ読み出し部１７ｂが読み込んだ画像データは、レイヤ合成部２０に出力される。そして、レイヤ合成部２０は、図１０（ａ）の画像データを図１０（ｂ）の画像データの中央部に貼り付け、出力イメージ通りの画像データを生成し、図９の液晶パネル２３に表示されている表示イメージの画像データを出力する。
【００８１】
そして、液晶第１レイヤと液晶第２レイヤのアスペクト変換部１９は、受信した画像データをそのまま出力する設定とする。すなわち、横方向にも縦方向にも拡大縮小処理を行なわず、フレームメモリ１５上の画像データを縦横共に１：1に出力する。一方、テレビ受像機２７のテレビモニタ２５の画素アスペクト比は、縦横９：８である。そこで、液晶パネル２３の画素アスペクト比を縦横１：１とすると、フレームメモリ１５上の画素アスペクト比は縦横１：１であり、テレビ用レイヤのアスペクト変換部１９で縦１：１設定、横９／８倍の拡大設定とし、横方向に拡大して出力するものとすれば、同一コンテンツが同一アスペクト比で液晶パネル２３とテレビモニタ２５とに同時に表示可能となる。
【００８２】
また、図１０（ａ）の画像データは、ワンセグ放送画像や、動画再生画像等の自然画コンテンツであるとすると、元データは圧縮データを解凍したＹＵＶ形式のデータであることが多い。また、図１０（ｂ）の画像データは、字幕放送や時計表示等の、文字情報とピクト情報等からなるコンピュータ生成画像であるとすると、元データはＲＧＢデータであることが多い。ここで、図１０（ａ）画像データをＹＵＶ形式のデータ、図１０（ｂ）の画像データをＲＧＢ形式のデータとすると、液晶第１レイヤの色空間変換部１８を変換なしとし、液晶第２レイヤの色空間変換部１８をＹＵＶ⇒ＲＧＢ変換設定とし、テレビレイヤの色空間変換部１８を変換なしとすると、液晶表示装置２６への出力はＲＧＢ形式、テレビ受像機２７への出力はＹＵＶ形式となり、各表示装置が必要とするデータ形式となる。
【００８３】
また、携帯電話機は、図１１に示すように、折りたたみを開いた時、上筐体は、さらに表示部の裏側に施されたレール、あるいは第2のヒンジを介して、右に９０°倒して横長状態にすることができ、横長画像を横長状態で表示させることができる。なお、液晶パネル２３は、短辺方向にソースドライバ、長辺方向にゲートドライバが配置されているため、右に９０°倒した状態においては、液晶の走査方向は右上から右下、さらに順次右から左へ走査していく方向となる。
【００８４】
ここで、フレームメモリ１５上に必要な画像データのイメージを図１２に示す。図１２（ｂ）画像データを液晶第１レイヤ読み出し部１７ａが読み込み、液晶第２レイヤとテレビレイヤとに同一フレームメモリ１５上のアドレスとして同一アドレス設定とし、図１２（ａ）画像データを液晶第２レイヤ読み出し部１７ｂとテレビレイヤ読み出し部１７ｃが同一画像データを読み込む。液晶第１レイヤ読み出し部１７ａが読み込んだ画像データと液晶第２レイヤ読み出し部１７ｂが読み込んだデータは、レイヤ合成部２０に出力される。そして、レイヤ合成部２０は、図１２（ａ）の画像データを図１２（ｂ）の画像データの中央部に貼り付け、出力イメージ通りの画像データを生成し、図１１の表示イメージの画像データを出力する。
【００８５】
そして、液晶第１レイヤと液晶第２レイヤのアスペクト変換部１９は、受信した画像データをそのまま出力する設定とする。すなわち、横方向にも縦方向にも拡大縮小処理を行なわず、フレームメモリ１５上の画像データを縦横共に１：１に出力する。一方、テレビ用レイヤのアスペクト変換部１９は、縦１：１設定、横９／８倍の拡大設定とし、同一コンテンツを同一アスペクト比で液晶表示装置２６とテレビ受像機２７とに同時に表示する。図１０（ａ）画像データをＹＵＶ形式のデータ、図１０（ｂ）の画像データをＲＧＢ形式のデータとすると、液晶第１レイヤの色空間変換部１８を変換なしとし、液晶第２レイヤの色空間変換部１８をＹＵＶ⇒ＲＧＢ変換設定とし、テレビレイヤの色空間変換部１８を変換なしとすると、液晶表示装置２６への出力はＲＧＢ形式、テレビ受像機２７への出力はＹＵＶ形式となり、各表示装置が必要とするデータ形式となる。
【００８６】
そして、この時、液晶第１レイヤと液晶第２レイヤの回転処理部１６を、左９０°回転設定とする。すなわち、液晶第１レイヤと液晶第２レイヤで読み込まれた画像データは、図８に示すように、回転処理部１６に内蔵されたラインバッファ１６１を介して、左９０°回転して、走査方向をフレームバッファのメモリ方向と垂直方向に変換された画像データが得られる。このようにすることで、図１１に示す表示イメージの画像表示を得ることができる。
【００８７】
そして、液晶表示装置２６では、図９に示すように液晶パネル２３が縦長の状態である状態1と、図１１に示すように液晶パネル２３が横長の状態である状態2の2状態が存在する。状態1ではフレームメモリ１５のメモリ方向と、液晶表示装置２６の走査方向と、テレビ受像機２７の走査方向とを、すべて一致させることができる。状態2では、フレームメモリ１５のメモリ方向とテレビ受像機２７の走査方向を一致させると、フレームメモリ１５のメモリ方向と液晶表示装置２６の走査方向とが直交関係となる。逆に、フレームメモリ１５のメモリ方向と液晶表示装置２６の走査方向とを一致させると、フレームメモリ１５のメモリ方向とテレビ受像機２７の走査方向とが直交関係となる。このように、直交関係となる場合に、回転処理部１６によって、画像データを回転することにより画像データを表示装置に応じて表示させることができる。
【００８８】
また、状態2では、フレームメモリ１５のメモリ方向と走査方向とが直交関係にある表示装置は、読み出しのとき、書き込みが終了していないメモリ部分と、書き込みが終了したメモリ部分とを、同一のフレームとして読み込むタイミングが発生してしまう。これにより、表示される画像に斜め線が表れ、品位を確保できない。
【００８９】
すなわち、画像データの書き込みと、画像データ読み出しとの、走査方向が直交関係にあると、動画像等の更新レートの速い画像表示を行なう場合、読み出しのときに、書き込みが終了していないメモリ部分と、書き込みが終了したメモリ部分とを、同一のフレームとして読み込むタイミングが発生し、表示に斜め線が表れ見え、品位を確保できない。
【００９０】
しかしながら、画像データのメモリ方向と走査方向とが一致している表示装置は、上述した書き込みタイミングにより書き込み開始タイミングを制御して、表示品位を確保できる。例えば、図１２の例ではフレームメモリ１５の画像データを、テレビ受像機２７側の走査方向に、メモリ方向を合わせることにより、テレビ受像機２７での表示品位を確保している。
【００９１】
そして、液晶表示装置２６の走査方向にフレームメモリ１５の画像データのメモリ方向を合わせ、テレビ受像機２７の走査方向とメモリ方向とを直交させると、液晶表示装置２６の表示品位を確保することもできる。
【００９２】
したがって、液晶表示装置２６とテレビ受像機２７とのどちらの表示品位を優先させるかを設定することで、どちらかの表示品位を保つことは可能である。
【００９３】
最後に、表示制御装置１０の各ブロック、特に主制御部１３（処理部１３１、書き込みタイミング決定部１３２、書き込み部１３３）、回転処理部１６、読み出し部１７、色空間変換部１８、アスペクト変換部１９、レイヤ合成部２０、および信号処理部２１は、ハードウェアロジックによって構成してもよいし、次のようにＣＰＵを用いてソフトウェアによって実現してもよい。
【００９４】
すなわち、表示制御装置１０は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示制御装置１０の制御プログラムのプログラムコード（実行形式プログラム、中間コードプログラム、ソースプログラム）をコンピュータで読み取り可能に記録した記録媒体を、上記表示制御装置１０に供給し、そのコンピュータ（またはＣＰＵやＭＰＵ（microprocessor unit））が記録媒体に記録されているプログラムコードを読み出し実行することによっても、達成可能である。
【００９５】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital video disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【００９６】
また、表示制御装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９８】
複数の表示装置に同時に画像を表示させる表示制御装置において、少なくとも１つの表示装置における表示品位を保つことができるので、複数の表示装置に同時に画像を表示させる表示装置に適用でき、特に、自装置で画像を表示するとともに他の表示装置でも同じ画像を表示させる装置に好適である。
【図面の簡単な説明】
【００９９】
【図１】本発明の実施形態を示すものであり、表示制御装置の要部構成を示すブロック図である。
【図２】上記実施の形態における、書き込みタイミングを決定する処理の流れを示すフローチャートである。
【図３】上記実施の形態における、画像データの読み出し開始および終了時点と書き込み開始および終了時点とのタイミングの関係を示す図であり、１画面分の更新を行うときの、書込速度が読出速度より遅い場合を示す図である。
【図４】上記実施の形態における、画像データの読み出し開始および終了時点と書き込み開始および終了時点とのタイミングの関係を示す図であり、１画面分の更新を行うときの、書込速度が読出速度より速い場合を示す図である。
【図５】上記実施の形態における、画像データの読み出し開始および終了時点と書き込み開始および終了時点とのタイミングの関係を示す図であり、画面の部分更新を行うときの、書込速度が読出速度より遅い場合を示す図である。
【図６】上記実施の形態における、画像データの読み出し開始および終了時点と書き込み開始および終了時点とのタイミングの関係を示す図であり、画面の部分更新を行うときの、書込速度が読出速度より速い場合を示す図である。
【図７】上記実施の形態における、表示画像の品位が保てないときの表示を示す画像である。
【図８】上記実施の形態における、回転処理を行うときの、ラインバッファを用いた場合の処理を示す図である。
【図９】上記実施の形態を、携帯電話機に用いた場合を示す図である。
【図１０】上記携帯電話機に用いた場合の、フレームメモリに必要な画像データを示す図であり、（ａ）は液晶第２レイヤおよびテレビレイヤで用いる画像データ、（ｂ）は液晶第１レイヤで用いる画像データを示す図である。
【図１１】上記実施の形態を、携帯電話機に用いた場合を示す図である。
【図１２】上記携帯電話機に用いた場合の、フレームメモリに必要な画像データを示す図であり、（ａ）は液晶第２レイヤおよびテレビレイヤで用いる画像データ、（ｂ）は液晶第１レイヤで用いる画像データを示す図である。
【図１３】従来技術を示すものであり、表示制御装置の要部構成を示すブロック図である。
【図１４】上記従来技術を携帯電話機に用いた場合を示す図である。
【図１５】上記従来技術において、フレームメモリに必要な画像データを示す図であり、（ａ）はＬＣＤレイヤ１で用いる画像データ、（ｂ）はＬＣＤレイヤ２で用いる画像データ、（ｃ）はＴＶレイヤで用いる画像データを示す図である。
【符号の説明】
【０１００】
１０    表示制御装置
１１    液晶用同期制御部
１２    テレビ用同期制御部
１３    主制御部
１４    インターフェース
１５    フレームメモリ（画像データ記憶部）
１６    回転処理部（回転処理手段）
１７ａ  液晶第１レイヤ読み出し部（画像データ読み出し手段）
１７ｂ  液晶第２レイヤ読み出し部（画像データ読み出し手段）
１７ｃ  テレビレイヤ読み出し部（画像データ読み出し手段）
１８    色空間変換部（色空間変換手段）
１９    アスペクト変換部（アスペクト変換手段）
２０    レイヤ合成部（レイヤ合成手段）
２１    信号処理部
２２    液晶ドライバ
２３    液晶パネル
２４    テレビエンコーダ
２５    テレビモニタ
２６    液晶表示装置
２７    テレビ受像機
１３１    処理部
１３２    書き込みタイミング決定部（書き込みタイミング決定手段）
１３３    書き込み部（画像データ書き込み手段）
【図１】
0005095280.tif 000002
【図２】
0005095280.tif 000003
【図３】
0005095280.tif 000004
【図４】
0005095280.tif 000005
【図５】
0005095280.tif 000006
【図６】
0005095280.tif 000007
【図７】
0005095280.tif 000008
【図８】
0005095280.tif 000009
【図９】
0005095280.tif 000010
【図１０】
0005095280.tif 000011
【図１１】
0005095280.tif 000012
【図１２】
0005095280.tif 000013
【図１３】
0005095280.tif 000014
【図１４】
0005095280.tif 000015
【図１５】
0005095280.tif 000016